(57)【特許請求の範囲】
【請求項１】
内周面が略円筒状の捕集容器を備え，該捕集容器の円周部にその周方向に設けられた空気流入口から吸い込まれた空気を前記略円筒状の内周面に沿って旋回させた後，前記捕集容器の中心部からフィルタ手段を経て排気することにより，前記空気に含まれる比較的大きい捕集対象物を前記捕集容器の底部で捕集すると共に，比較的小さい捕集対象物を前記フィルタ手段において捕集すると共に，
前記捕集容器内に，該捕集容器の垂直中心軸を中心とする螺旋状曲面を備え前記垂直中心軸の周りに回転可能な圧縮部材を備えてなるサイクロン分離装置であって，
前記圧縮部材は，前記捕集容器内周面との間に略円筒状の空間を介して前記捕集容器内に収納されてなるサイクロン分離装置。
【請求項２】
前記圧縮部材の前記螺旋状曲面が，前記捕集容器の内周面に沿って旋回下降する気流の方向と略一致する方向に形成されてなる請求項１に記載のサイクロン分離装置。
【請求項３】
前記圧縮部材を回転駆動する駆動手段をさらに備えてなる請求項１あるいは２のいずれかに記載のサイクロン分離装置。
【請求項４】
前記圧縮部材が，捕集対象物の捕集工程の終了後に回転駆動されるように制御されてなる請求項３に記載のサイクロン分離装置。
【請求項５】
前記圧縮部材が，捕集対象物の捕集工程の途中で回転駆動されるように制御されてなる請求項３に記載のサイクロン分離装置。
【請求項６】
前記圧縮部材が，捕集対象物の捕集工程の途中で，間欠的に回転駆動されるように制御されてなる請求項５に記載のサイクロン分離装置。
【請求項７】
前記捕集容器内周面との間の略円筒状の空間の半径方向の幅が，下方に向かって小さくなるように構成されてなる請求項１〜６のいずれかに記載のサイクロン分離装置。
【請求項８】
前記圧縮部材の螺旋状曲面は，前記捕集容器の内周面に沿って，少なくとも該内周面の１周分以上にわたって形成されてなる請求項１〜７のいずれかに記載のサイクロン分離装置。
【請求項９】
前記圧縮部材の螺旋状曲面は，前記捕集容器の内周面に沿って，該内周面の１周分未満にわたって形成されてなる請求項１〜８のいずれかに記載のサイクロン分離装置。
【請求項１０】
前記圧縮部材は，その垂直中心に設けられた回転軸部と，前記回転軸部の周囲に形成された前記螺旋状曲面と，前記螺旋状曲面の上方に設けられた円盤状遮蔽部材とを備えて構成され，前記螺旋状曲面と前記円盤状遮蔽部材との間に垂直方向の隙間が介在するものである請求項９に記載のサイクロン分離装置。
【請求項１１】
前記螺旋状曲面は，前記捕集容器の上部開口部側の始端部から前記捕集容器の下部底面側の終端部にかけて形成されたものであり，前記始端部外縁が，圧縮部材の中心部から外周部にかけての半径が徐々に大きくなる曲線状に形成されてなる請求項１０に記載のサイクロン分離装置。
【請求項１２】
前記捕集対象物が，塵埃であるサイクロン集塵装置に適用されてなる請求項１〜１１のいずれかに記載のサイクロン分離装置。
【発明の詳細な説明】
【技術分野】
【０００１】
本発明は，捕集対象物を遠心分離するサイクロン分離装置に係り，特に，捕集された比較的大きい捕集対象物の捕集量を増加させることの出来るサイクロン分離装置に関するものである。
【背景技術】
【０００２】
従来から，略円筒状の捕集容器の中心部に設けられた排気部から前記捕集容器内の空気を排気することにより，前記捕集容器の円周部に設けられた空気吸い込み部から吸い込まれた空気を前記捕集容器の内周面に沿って旋回させた後，フィルタ手段を経て前記排気部から排気し，前記空気に含まれる比較的大きい塵埃を前記捕集容器の底部で捕集すると共に，比較的小さい塵埃を前記フィルタ手段において捕集するサイクロン分離装置の一例としてのサイクロン集塵装置が，特許文献１として知られている。
このサイクロン集塵装置は，比較的大きい塵埃を旋回させることで遠心力によって捕集し，空気流に乗って飛翔する比較的小さい塵埃については，空気流中においたフィルタ手段によって捕集するものであるため，騒音が少なく，集塵効率についても改善されたものである。
【０００３】
上記のようなサイクロン集塵装置を一般家庭で使用すると，布団や衣類から生じる綿ホコリが集塵ごみ容積の大半を占める。この綿ホコリを構成する繊維等は，それ自体が弾性を持つため，塵埃の密度は小さく，頻繁に集塵部から取り除く（捨てる）必要がある。また，このような塵埃は，軽くて容易に飛散するため，外部のごみ箱等に廃棄する際，塵埃が舞い散って再飛散することで使用者が不快に感じるという問題がある。
【０００４】
しかしながら，上記特許文献１に記載のサイクロン集塵装置は，あくまで空気の流れに頼って塵埃を捕集するものであるため，捕集された前記繊維などの低密度の埃を一定以上に圧縮することが出来ず，限られた塵埃の捕集空間における塵埃の集積度をそれほど向上させることが出来るものではない。従って，捕集された塵埃を頻繁に捨てないと捕集効率が低下するので，ゴミを捨てる手間がかかる点，あるいは，塵埃を捨てる時に，塵埃が硬く圧縮されておらず，空気中で分散されやすいので，ごみ箱等に廃棄する際，塵埃が舞い散って再飛散することによる不快感を解消することが出来ないという問題を解決することが出来ない。
【０００５】
上記目的を達成するために本発明は，熱風により被調理物を加熱調理する加熱調理器であって，前記被調理物を加熱する加熱庫の内壁面に前記熱風を吹き出す吹出口と，該吹出口から吹き出される前記熱風を吸い込む吸込口とが設けられてなる加熱調理器において，前記吹出口が前記吸込口よりも前記加熱庫の底面側にその全体の形状がＬ字形状となるように設けられてなることを特徴とする加熱調理器により構成される。
【発明の開示】
【発明が解決しようとする課題】
【０００６】
前記のように吹出口については，前記吹出口は前記内壁面の隅部近傍であって，前記加熱庫の他の側壁，底面或いは天面と前記吹出口が形成された内壁面との接合部近傍に設けられてもよい。熱風がショートサーキットしないための工夫である。
【０００７】
上記したような課題は，電気掃除機のような集塵装置に限らず，空気中に含まれる粉体や繊維などの材料，あるいは粒度のことなる各種材料を含む空気から材料を粒度の違いによって分離するサイクロン分離装置において，等しく生じる問題であり，本発明は，上記した典型的な集塵装置のみでなく，広く各種の材料などを分離するサイクロン分離装置における，上記問題の解決に向けたものである。
【０００８】
尚，上述したように，前記吹出口全体の形状はＬ字形状であることが望ましい。
【課題を解決するための手段】
【０００９】
上記目的を達成するために，本発明は，
内周面が略円筒状の捕集容器を備え，該捕集容器の円周部にその周方向に設けられた空気流入口から吸い込まれた空気を前記略円筒状の内周面に沿って旋回させた後，前記捕集容器の中心部からフィルタ手段を経て排気することにより，前記空気に含まれる比較的大きい捕集対象物を前記捕集容器の底部で捕集すると共に，比較的小さい捕集対象物を前記フィルタ手段において捕集するサイクロン分離装置において，
前記捕集容器内に，該捕集容器の垂直中心軸を中心とする螺旋状曲面を備え前記垂直中心軸の周りに回転可能な圧縮部材を備えてなることを特徴とするサイクロン分離装置として構成されている。
具体的には，前記捕集容器の上部に，前記フィルタ手段を経て排気される空気の排気部を備えた分離装置本体が設けられてなるものが考えられる。
前記圧縮部材による捕集対象物の圧縮の態様としては，前記圧縮部材の回転により，該圧縮部材の前記螺旋状曲面が前記垂直中心軸の周りに回転されることにより，前記捕集容器に貯まった捕集対象物を前記螺旋状曲面によって前記捕集容器の底部に向かって押し出して圧縮してなるものが考えられる。
前記圧縮部材の前記螺旋状曲面の形状として，前記圧縮部材の前記螺旋状曲面が，該螺旋状曲面を螺子と想定したときに，該圧縮部材の回転により螺子が後退するように形成されてなるものがあげられる。このような，螺旋状曲面を螺子と想定したときに，螺旋状曲面が回転することにより，捕集対象物を移動させるものの典型例として，スクリューポンプとしてのアルキメディアンスクリューが挙げられる。
一方，螺旋状曲面の形状を，前記捕集容器の内周面に沿って旋回下降する気流の方向との関係で捉えると，前記圧縮部材の前記螺旋状曲面が，前記捕集容器の内周面に沿って旋回下降する気流の回転方向と一致する方向に形成されてなるものが一例として把握される。
逆に，本発明においては，前記圧縮部材の前記螺旋状曲面が，前記捕集容器の内周面に沿って旋回下降する気流の回転方向とは反対の方向に形成されてなるものも含みうる。
また，前記圧縮部材を回転駆動する駆動手段をさらに備えてなることも考えられる。
この場合，例えば，前記圧縮部材を，捕集対象物の捕集工程の終了後に自動的に回転駆動するように制御したり，前記圧縮部材を，捕集対象物の捕集工程の途中で回転駆動するように制御することが出来，省力化が進められる。
後者の場合には，前記圧縮部材を，捕集対象物の捕集工程の途中で，間欠的に回転駆動するように制御することも可能である。
前記いずれの場合にも，前記圧縮部材は，前記捕集容器内周面との間に略円筒状の空間を介して前記捕集容器内に収納されてなるサイクロン分離装置であることが望ましい。この場合，前記捕集容器内面との間の略円筒状空間の半径方向の幅を，下方に向かって小さくなるように構成することも出来る。
【００１０】
前記いずれの場合にも，前記圧縮部材の螺旋状曲面は，前記捕集容器の内周面に沿って，少なくとも該内周面の１周分以上にわたって形成されてものが考えられる。
あるいは逆に前記圧縮部材の螺旋状曲面を，前記捕集容器の内周面に沿って，該内周面の１周分未満にわたって形成するようにしてもよい。これによって圧縮部材の小型化が図られる。
またこの場合，前記圧縮部材は，その垂直中心に設けられた回転軸部と，前記回転軸部の周囲に形成された前記螺旋状曲面と，前記螺旋状曲面の上方に設けられた円盤状遮蔽部材とを備えて構成され，前記螺旋状曲面と前記円盤状遮蔽部材との間に垂直方向の隙間が介在するものが考えられる。
その場合において，前記螺旋状曲面が，前記捕集容器の上部開口部側の始端部から前記捕集容器の下部底面側の終端部にかけて形成されたものであり，前記始端部外縁が，圧縮部材の中心部から外周部にかけての半径が徐々に大きくなる曲線状に形成されてなるような形状にすることで，前記始端部に繊維くずなどがひかからないようにすることができる。
以上述べた，サイクロン分離装置は，前記捕集対象物が塵埃である場合には，サイクロン集塵装置として用いることが可能である。
【発明の効果】
【００１１】
本発明は上記のように，内周面が略円筒状の捕集容器を備え，該捕集容器の円周部にその周方向に設けられた空気流入口から吸い込まれた空気を前記略円筒状の内周面に沿って旋回させた後，前記捕集容器の中心部からフィルタ手段を経て排気することにより，前記空気に含まれる比較的大きい捕集対象物を前記捕集容器の底部で捕集すると共に，比較的小さい捕集対象物を前記フィルタ手段において捕集するサイクロン分離装置において，
前記捕集容器内に，該捕集容器の垂直中心軸を中心とする螺旋状曲面を備え前記垂直中心軸の周りに回転可能な圧縮部材を備えてなることを特徴とするサイクロン分離装置として構成されているので，前記圧縮部の回転によって，捕集された比較的大きい捕集対象物を，その回転によって圧縮することができる。
その結果，塵埃などの捕集対象物に対する圧縮力を維持することが出来，同時に該螺旋状曲面の上面側は集塵容器の空間として確保される。従って，大量の捕集対象物を捕集容器に蓄積してもサイクロン分離装置部分の性能が維持されるため吸い込み力が低下せず，長時間にわたって高い捕集効率を維持できる。
さらに本発明によれば，上記のように捕集対象物について固く圧縮された状態を保持することで，圧縮力を解除した時にも，再度空中に飛散するような問題を生じず，またそのままの形で後処理に回したり，捨てたりすることが出来る，優れたサイクロン分離装置を提供するものである。
さらにまた本発明においては，回転駆動される圧縮部材の小型化を図ることができ，圧縮部材の駆動負荷の低減と装置の小型化を図ることができる。
【発明を実施するための最良の形態】
【００１２】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は，本発明の実施の形態に係る電気掃除機Ｘの外観図，図２及び図３は，本発明の実施の形態に係るサイクロン集塵装置Ｙの内部構造を説明するための断面図，図４は，本発明の実施の形態に係るサイクロン集塵装置Ｙに設けられた螺旋状回転圧縮部を説明するための図（（ａ）は，下方から見た斜視図，（ｂ）は，上方から見た斜視図），図５は，本発明の実施の形態に係るサイクロン集塵装置Ｙに設けられた上部フィルタユニット１３を説明するための図，図６は，本発明の実施の形態に係るサイクロン集塵装置Ｙの内部構造を螺旋状回転圧縮部を中心として説明するための断面図，図７は，本発明の実施の形態に係るサイクロン集塵装置Ｙの内部構造を説明するための分解斜視図，図８は，本発明の実施の形態に係るサイクロン集塵装置Ｙの螺旋状回転圧縮部への回転力伝達経路を説明するための断面図，図９は，螺旋状回転圧縮部の回転によって，塵埃が圧縮・積層される状況を説明するサイクロン集塵装置Ｙの断面図，図１０は，螺旋状回転圧縮部への塵埃の貯まり具合を説明するサイクロン集塵装置Ｙの断面図，図１１は，直円筒状の集塵容器が用いられた場合のサイクロン集塵装置Ｙの断面図，図１２は，螺旋部の設定位置を説明するためのサイクロン集塵装置Ｙの断面図，図１３は，螺旋部の設定位置を説明するためのサイクロン集塵装置Ｙの斜視図，図１４は，集塵容器に形成されるリブを説明するためのサイクロン集塵装置Ｙの側断面図，図１５は，集塵容器に形成されるリブを説明するためのサイクロン集塵装置Ｙの水平断面図，図１６は，螺旋部を回転軸部の周りに一周未満とした実施形態の図６相当図，図１７は，螺旋部を回転軸部の周りに一周未満とした実施形態の図７相当図，図１８は，螺旋部を回転軸部の周りに一周未満とした実施形態の図８相当図，図１９は，螺旋部を回転軸部の周りに一周未満とした実施形態の螺旋部の斜視図，図２０は，螺旋部を回転軸部の周りに一周未満とした実施形態の始端部を円弧状とした螺旋部の斜視図（ａ），（ｂ），及び平面図（ｃ）である。
【００１３】
まず，図１を用いて，本発明の実施の形態に係る電気掃除機Ｘの概略構成について説明する。
図１に示すように，前記電気掃除機Ｘは，掃除機本体部１，吸気口部２，接続管３，接続ホース４，操作ハンドル５などを備えて概略構成されている。前記掃除機本体部１には，不図示の電動送風機，サイクロン集塵装置Ｙ，不図示の制御装置などが内蔵されている。なお，前記サイクロン集塵装置Ｙについては後段で詳述する。
前記電動送風機は，吸気を行うための送風ファン及び該送風ファンを回転駆動する送風駆動モータを有している。前記制御装置は，ＣＰＵやＲＡＭ，ＲＯＭなどの制御機器を有してなり，前記電気掃除機Ｘを統括的に制御する。具体的には，前記制御装置では，前記ＣＰＵが前記ＲＯＭに記憶された制御プログラムに従って各種の処理を実行する。
なお，前記操作ハンドル５には，ユーザが前記電気掃除機Ｘの稼働の有無や運転モードの選択操作などを行うための操作スイッチ（不図示）が設けられている。また，その操作スイッチの近傍には，前記電気掃除機Ｘの現在の状態を表示するＬＥＤなどの表示部（不図示）も設けられている。
【００１４】
前記掃除機本体部１は，該掃除機本体部１の前端に接続された前記接続ホース４と，該接続ホース４に接続された前記接続管３とを介して前記吸気口部２に接続されている。
従って，前記電気掃除機Ｘでは，前記掃除機本体部１に内蔵された前記電動送風機（不図示）が作動されることにより，前記吸気口部２からの吸気が行われる。そして，前記吸気口部２から吸気された空気は，前記接続管３及び前記接続ホース４を通じて前記サイクロン集塵装置Ｙに流入する。前記サイクロン集塵装置Ｙでは，吸い込まれた空気から塵埃が遠心分離される。なお，前記サイクロン集塵装置Ｙで塵埃が分離された後の空気は，前記掃除機本体部１の後端に設けられた不図示の排気口から排気される。
【００１５】
以下，図２〜６を参照しつつ，本発明に係るサイクロン集塵装置の一例であるサイクロン集塵装置Ｙについて詳説する。
図２及び図３に示すように，前記サイクロン集塵装置Ｙは，筐体１０，内周面が略円筒状で，上記筐体１０に対して着脱自在の集塵容器１１（捕集容器の一例），内筒１２，上部フィルタユニット１３，塵埃受部１４及び除塵駆動機構１５などを備えて概略構成されている。
前記サイクロン集塵装置Ｙでは，前記集塵容器１１，前記内筒１２，前記上部フィルタユニット１３，及び前記塵埃受部１４が，垂直の中心軸Ｐを中心に同軸状に配置されている。また，前記サイクロン集塵装置Ｙは，前記掃除機本体部１に着脱可能に構成されている。
上記筐体１０は，フィルタ１２２を備えた内筒１２を備えている。
このサイクロン集塵装置Ｙでは，略円筒状の集塵容器１１の中心部に設けられた前記内筒１２から前記集塵容器１１内の空気を排気することにより，前記集塵容器１１の円周部に設けられた空気流入口１１１ａ（図７参照）から吸い込まれた空気を集塵容器１１の内周面に沿って旋回させた後，フィルタ手段の一例である前記上部フィルタユニット１３などを経て前記内筒１２を経て排気し，前記空気に含まれる比較的大きい捕集対象物を前記集塵容器１１の底部で捕集すると共に，比較的小さい捕集対象物を前記上部フィルタユニット１３などにおいて捕集するものである。
【００１６】
前記集塵容器１１は，吸い込まれた空気から分離された塵埃を収容するための内周面が円筒状で，且つ外形も円筒状の容器である。前記集塵容器１１は，前記サイクロン集塵装置Ｙの筐体１０に着脱可能に構成されている。ユーザは，前記掃除機本体部１から前記サイクロン集塵装置Ｙを取り出した後，該サイクロン集塵装置Ｙから前記集塵容器１１を取り外して，該集塵容器１１内の塵埃を廃棄する。なお，前記サイクロン集塵装置Ｙの筐体１０と前記集塵容器１１との間には，環状のシール部材１６１が設けられている。このシール部材１６１により，前記筐体１０及び前記集塵容器１１の間の空気の漏れが防止される。
また，前記集塵容器１１の底部には，前記内筒１２に設けられた後述の回転軸部１２３ｂに嵌合する嵌合部１１ａが設けられている。前記嵌合部１１ａの外周部には，前記内筒１２の回転軸部１２３ｂとの隙間を埋めるための環状のシール部材１１ｂが設けられている。このシール部材１１ｂにより，前記回転軸部１２３ｂ及び前記集塵容器１１の間の空気の漏れが防止される。
【００１７】
さらに，前記集塵容器１１には，前記接続ホース４（図１参照）が接続される接続部１１１が設けられている。前記吸気口部２から前記接続管３及び前記接続ホース４を通じて吸い込まれた空気は，前記接続部１１１から前記集塵容器１１内に流入する。
ここで，前記接続部１１１の前記集塵容器１１への空気流入口（不図示）は，前記接続ホース４からの空気が前記集塵容器１１内で旋回するように形成されている。具体的に，前記空気流入口（不図示）は，前記集塵容器１１側の出口が該集塵容器１１の円周方向に向くように形成されている。従って，前記集塵容器１１では，吸い込まれた空気を旋回させることで該空気に含まれた塵埃が遠心力によって分離（遠心分離）される。そして，前記集塵容器１１で遠心分離された塵埃は，該集塵容器１１の底部に収容される（図２，３の塵埃Ｄ１）。
一方，塵埃が分離された後の空気は，前記集塵容器１１から矢印（図２）で示す排気経路１１２に沿って前記掃除機本体部１に設けられた不図示の排気口から外部に排気される。ここで，前記集塵容器１１から前記排気口（不図示）までの前記排気経路１１２上には，前記内筒１２，前記塵埃受部１４，及び前記上部フィルタユニット１３が順に配置されている。
【００１８】
前記内筒１２は，前記集塵容器１１内に配置された円筒状の部材である。ここで，前記内筒１２は，前記塵埃受部１４によって回転可能に支持されている。具体的に，前記内筒１２は，該内筒１２の上端に設けられた環状の凹部１２ａが，前記塵埃受部１４の下端に設けられた環状の支持部１４ｃに支持されることにより回転可能な状態で吊り下げられている。なお，前記内筒１２を回転可能に支持する構成は，これに限られるものではない。例えば，前記内筒１２の上下の端部を軸支することが一例として考えられる。
さらに，前記内筒１２の上端には，後述の傾斜除塵部材１３４に設けられた係合部１３４ｃに係合する複数の連結部１２ｂが設けられている。前記連結部１２ｂは，前記内筒１２の上端の開口縁部に上方に突出して設けられたリブである。
前記内筒１２は，前記連結部１２ｂ及び前記係合部１３４ｃの係合によって，前記傾斜除塵部材１３４に一体回転可能に連結されている。これにより，前記内筒１２は，前記傾斜除塵部材１３４に連動して回転することになる。なお，前記内筒１２及び前記傾斜除塵部材１３４の連結構造はこれに限られない。例えば，前記内筒１２及び前記傾斜除塵部材１３４各々に設けられた嵌合部を嵌合させることにより一体回転可能に連結する構成が考えられる。
【００１９】
また，前記内筒１２の上部には，前記集塵容器１１で塵埃が分離された後の空気を，前記上部フィルタユニット１３に向けて排気するための内筒排気口１２１が形成されている。そして，前記内筒排気口１２１には，該内筒排気口１２１全体を覆う円筒状を成す内筒フィルタ１２２が設けられている。前記内筒フィルタ１２２は，前記内筒排気口１２１を通過する空気を濾過する。
例えば，前記内筒フィルタ１２２は，メッシュ状のエアフィルタ等である。なお，前記内筒フィルタ１２２は，前記内筒排気口１２１の内側又は外側のいずれに設けられていてもよい。また，前記排気口１２１及び前記内筒フィルタ１２２に換えて，前記内筒１２にメッシュ状の孔を形成する構成も考えられる。その場合は，そのメッシュ状の孔が前記内筒排気口１２１及び前記内筒フィルタ１２２として機能する。
【００２０】
一方，前記内筒１２の下部には，前記集塵容器１１内の塵埃を圧縮するための螺旋状回転圧縮部１２３が設けられている。
ここで，図２及び図３に加えて螺旋状回転圧縮部１２３の斜視図である図４を参照しつつ，前記螺旋状回転圧縮部１２３について説明する。
図２〜４に示されているように，前記螺旋状回転圧縮部１２３には，回転中心である回転軸部１２３ｂ，上記回転軸部１２３ｂの周りに形成された螺旋状曲面からなる螺旋部１２３ａ，上記螺旋部１２３ａの上方に設けられた円盤状遮蔽部材１２３ｃを少なくとも備えている。
前記回転軸部１２３ｂは，前記集塵容器１１の底部に設けられた前記嵌合部１１ａに嵌合される中空円筒である。前述したように，前記回転軸部１２３ｂ及び前記嵌合部１１ａの間には前記シール部材１１ｂ（図２，３参照）が介在する。
【００２１】
円盤状遮蔽部材１２３ｃは，前記集塵容器１１内において，後述する旋回流の遠心分離力により塵埃を分離する上側空間の部分（分離部１０４）と，塵埃を蓄積する下側空間の部分（集塵部１０５）との仕切りの役割を果たす。これにより，捕集した塵埃が巻き上がり，内筒フィルタ１２２を詰まらせる事を防ぐ。また，円盤状であるため，サイクロン気流中に含まれる塵埃が引っかかることが無く，塵埃を効率的に集塵容器１１の底部へ誘導することができる。
【００２２】
また，前記回転軸部１２３ｂには，前記したように該回転軸部１２３ｂを中心にして，前記集塵部１０５の底面に向かって螺旋状に延び，その上下面が，前記垂直中心軸Ｐを中心とする螺旋状曲面を備えて湾曲した板状の螺旋部１２３ａ（圧縮部材の一例）が設けられている。この実施形態では，図４に示すように螺旋部１２３ａが，集塵容器１１の上部開口部側の始端部１２３ｓから前記集塵容器１１の下部底面側の終端部１２３ｅにかけて形成されたものであり，上記始端部部１２３ｓは，前記円盤状遮蔽部材１２３ｃの下面に接続され，終端部１２３ｅは，フリーである。但し，本発明に係る螺旋部１２３ａは，このような形状に限定されない。螺旋部１２３ａの始端部１２３ｓが，前記円盤状遮蔽部材１２３ｃから切り離され，螺旋部１２３ａと円盤状遮蔽部材１２３ｃとの間に隙間が介在するものでも良い。このような実施形態については後述される。
前記螺旋部１２３ａは，後述するように前記内筒１２が回転されるとき，前記集塵容器１１内に蓄積された塵埃を集塵容器１１の底部向かって移動させる。この時，前記圧縮部材の前記螺旋状曲面が，該螺旋状曲面を螺子と想定したときに，該圧縮部材の回転により螺子が後退するように形成されていることにより，この螺旋状曲面でゴミを圧縮することができる。
この時，前記螺旋部１２３ａの前記螺旋状曲面は図６矢印Ａの旋回気流と同様の傾斜方向をもって形成されていることが好ましい。このような螺旋部１２３ａを図６矢印Ａの旋回と反対方向に回転させることで前記集塵容器１１内の塵埃は，該集塵容器１１内面との摩擦によって，該集塵容器１１底部へ移動することになる。
ただし，前記螺旋部１２３ａの前記螺旋状曲面を，前記集塵容器１１の内周面に沿って旋回する気流の傾き方向とは反対の方向に傾斜させることも可能である。この時，螺旋部１２３ａの回転方向は，図６矢印Ａの旋回気流の旋回方向と同一，即ち，螺旋部１２３ａを螺子と想定したとき，螺旋部１２３ａの回転により螺子が後退する方向になる。
さらに，前記内筒１２が回転されるとき，前記集塵容器１１の底部まで移動した塵埃に対して前記螺旋部１２３ａは，前記集塵容器１１の底部との摩擦によって，上記底面との間で塵埃を回転により回転軸中心から外側に向かって押し出し圧縮することになる。このような構成によれば，塵埃が回転によって固く圧縮されるので，前記集塵容器１１の塵埃の蓄積可能量を増加させることができる。従って，例えば前記集塵容器１１の小型化を実現することが可能である。また，固く圧縮された塵埃は，容易に解けないので，取り出し時にも空気中に飛散する問題がなく，そのままの形でゴミとして廃棄することが出来る。
【００２３】
一方，前記内筒１２の内筒フィルタ１２２で濾過された後の空気は，該内筒１２内を通じて前記上部フィルタユニット１３に導かれる。
ここで，図２及び図３に加えて図５を参照しつつ，前記上部フィルタユニット１３について説明する。ここに，図５（ａ）は，前記上部フィルタユニット１３を上方から見た斜視図，図５（ｂ）は，前記上部フィルタユニット１３を下方から見た斜視図である。
前記上部フィルタユニット１３は，ＨＥＰＡフィルタ(High Efficiency Particulate Air Filter)１３１，フィルタ除塵部材１３２及び傾斜除塵部材１３４などを有している。
【００２４】
前記ＨＥＰＡフィルタ１３１は，前記内筒１２から排気されて前記排気経路１１２上を流れる空気をさらに濾過するエアフィルタの一種である。
前記ＨＥＰＡフィルタ１３１は，前記垂直中心軸Ｐの周りに環状に配置固定された複数枚のフィルタの集合で構成されている。なお，複数枚のフィルタ各々は，例えば図５（ｂ）に示すような骨組みに固定される。また，前記ＨＥＰＡフィルタ１３１に含まれた複数枚のフィルタは，略水平方向に凹凸を繰り返すプリーツ状に配置されている。これにより，前記ＨＥＰＡフィルタ１３１におけるフィルタ面積が十分に確保されている。なお，前記ＨＥＰＡフィルタ１３１の下端と前記筐体１０との間には，環状のシール部材１６２が設けられている。これにより，前記ＨＥＰＡフィルタ１３１と前記筐体１０との間の空気の漏れが防止される。
また，図２及び図３に示すように，前記ＨＥＰＡフィルタ１３１の中央には，後述のフィルタ除塵部材１３２に設けられた連結部１３３が嵌挿される中空部１３１ａが形成されている。また，前記中空部１３１ａには，前記連結部１３３を回転可能に支持する支持部１３１ｂが設けられている。
【００２５】
前述したように，前記サイクロン集塵装置Ｙでは，前記内筒フィルタ１２２及び前記ＨＥＰＡフィルタ１３１の二段階で空気を濾過することにより塵埃の捕集力が高められている。
但し，前記ＨＥＰＡフィルタ１３１に塵埃が堆積して目詰まりが生じると，空気の通過抵抗が大きくなる。そのため，前記電動送風機（不図示）の負荷が大きくなり吸塵力が低下するおそれがある。そこで，前記上部フィルタユニット１３には，前記ＨＥＰＡフィルタ１３１に付着した塵埃を除去する前記フィルタ除塵部材１３２が設けられている。
【００２６】
前記フィルタ除塵部材１３２は，前記ＨＥＰＡフィルタ１３１の中央部に設けられた前記支持部１３１ｂによって回転可能に支持されている。具体的に，前記フィルタ除塵部材１３２には，前記支持部１３１ｂに回転可能に支持される連結部材１３３が設けられている。
また，前記連結部１３３には，該連結部１３３に設けられたネジ穴１３３ａに前記傾斜除塵部材１３４がネジ１３３ｂで螺着される。これにより，前記フィルタ除塵部材１３２及び前記傾斜除塵部材１３４が一体回転可能に連結される。なお，前記傾斜除塵部材１３４及び前記ＨＥＰＡフィルタ１３１の間には，隙間を埋める環状のシール部材１６３が設けられている。これにより，前記傾斜除塵部材１３４及び前記ＨＥＰＡフィルタ１３１の間の空気の漏れが防止される。
【００２７】
前記フィルタ除塵部材１３２は，図２及び図５（ａ）に示すように，前記ＨＥＰＡフィルタ１３１の上端部に接触するように該ＨＥＰＡフィルタ１３１に沿って所定間隔で配置された二つの接触部１３２ａを有している。前記接触部１３２ａは板バネ状の弾性部材である。なお，前記接触部１３２ａは，板バネ状の弾性部材に限られるものではない。また，前記接触部１３２ａは，一つであっても或いはさらに複数であってもよい。
そして，前記フィルタ除塵部材１３２には，その外周部にギア１３２ｂが形成されている。このギア１３２ｂは，図２及び図３に示すように，前記サイクロン集塵装置Ｙに設けられた除塵駆動機構１５に設けられたギア１５ａに噛合される。
【００２８】
ここに，前記除塵駆動機構１５は，図２に明らかな如く，前記掃除機本体部１側に設けられた不図示の駆動モータ（駆動手段の一例）（以下，「除塵駆動モータ」という）に連結される減速器及び該減速器に連結されたギア１５ａを有している。前記除塵駆動機構１５では，前記除塵駆動モータの回転力が前記減速器を介して前記ギア１５ａに伝達される。そして，前記除塵駆動機構１５のギア１５ａの回転力は，前記ギア１３２ｂに伝達される。これにより，前記フィルタ除塵部材１３２が回転される。
そして，上記フィルタ除塵部材１３２の回転は，前記したように，傾斜除塵部材１３４に伝達され，傾斜除塵部材１３４と一体に回転する内筒１２及び内筒１２と一体の螺旋状回転圧縮部１２３が前記垂直中心軸Ｐの周りに回転する。
なお，本実施の形態では，前記除塵駆動モータによって前記フィルタ除塵部材１３２が回転される場合を例に挙げて説明するが，前記除塵駆動モータに換えて，前記フィルタ除塵部材１３２を手動で回転させることのできる機構を設けることも他の実施例として考えられる。
さらに，除塵駆動モータ以外の別のモータによって，螺旋状回転圧縮部１２３を回転させることも当然考えられる。上部フィルタユニット１３の除塵と，螺旋状回転圧縮部１２３の回転とを別に行いたい場合には，このような別駆動の方を採用することも考えられる。
【００２９】
前記フィルタ除塵部材１３２が回転されると，該フィルタ除塵部材１３２に設けられた二つの前記接触部１３２ａ各々は，プリーツ状に形成された前記ＨＥＰＡフィルタ１３１に断続的に衝突して振動を与える。従って，前記ＨＥＰＡフィルタ１３１に付着した塵埃は，前記フィルタ除塵部材１３２から与えられる振動によって叩き落とされる。なお，前記除塵駆動モータ（不図示）が作動されるタイミングは，例えば前記電気掃除機Ｘにおける集塵動作の開始前や終了後であることが望ましい。これにより，前記電動送風機による吸気によって前記ＨＥＰＡフィルタ１３１に下流側への気流がない状態で，前記ＨＥＰＡフィルタ１３１の除塵を効果的に行うことができる。
【００３０】
また，前述したように，前記塵埃受部１４は，前記内筒１２を回転可能に支持している。具体的に，前記塵埃受部１４の開口１４ａ縁部の下端には，前記内筒１２の上端に設けられた環状の前記凹部１２ａに嵌合される環状の前記支持部１４ｃが設けられている。これにより，前記内筒１２は，前記塵埃受部１４によって回転可能な状態で吊り下げられている。
【００３１】
次に，前記した螺旋状回転圧縮部１２３の構造についてさらに詳しく説明する。
前述したように，サイクロン集塵装置Ｙは，概略円筒形状に形成され，上部に配置された上部フィルタユニット１３と，下部に配置された集塵容器１１とを備えて構成されている。
集塵容器１１内に収納された前記内筒１２の下端には，分離部１０４と集塵部１０５の境界部である円盤状遮蔽部材１２３ｃが一体的に接合されている。上記円盤状遮蔽部材１２３ｃとその下部の前記螺旋部１２３ａの外径は，ほぼ同じで，分離部１０４の内径より小さく，円盤状遮蔽部材１２３ｃの外周と集塵容器１１の内壁との間には隙間（クリアランス）１０６（図６）が存在している。隙間（クリアランス）１０６は，分離部１０４において分離した塵埃を集塵部１０５へ移動する場合に，ある程度の体積を持つ塵埃においてもスムーズに移動することができ，かつ一度集塵部１０５に移動・蓄積した塵埃を巻き上げ，内筒フィルタ１２２を詰まらさないようにするに適した値である。実験によれば１３ｍｍ程度が望ましいことが分った。
【００３２】
さらにまた，上記螺旋部１２３ａと集塵容器１１内面との間の隙間（クリアランス）１０７（本発明における略円筒状の空間に相当する）は，集塵容器１１の径が集塵容器１１の底部に向かい小さくなる部分であるため，集塵容器１１の底部に向かって小さくなるように構成されている。これにより，塵埃と集塵容器１１の内壁側面との摩擦が大きくなり，螺旋状回転圧縮部１２３による中心軸Ｐ方向に塵埃を移動させる力が大きくなるため，されに効率的に圧縮が行なわれる。
【００３３】
また，円盤状遮蔽部材１２３ｃは，高さ方向に所定の厚みを持つ。円盤状遮蔽部材１２３ｃの高さ方向の厚みは，分離部１０４における遠心分離性能に影響し，本実施例では，実験により求めた１３ｍｍ程度としている。
【００３４】
また，螺旋状回転圧縮部１２３の螺旋部１２３ａは，前記したように上下の螺旋状曲面に挟まれて湾曲した板状に形成されており，円盤状遮蔽部材１２３ｃから下方に向かってほぼ垂直に伸びる回転軸部１２３ｂを中心にして，集塵容器１１の底面に向かって始端部１２３ｓ（円盤状遮蔽部材１２３ｃとの接続部）から終端部１２３ｅ（下端）までが１周分以上，回転軸部１２３ｂの周囲に巻き付くように形成されている。上記巻き付き角度の望ましい数字としては，１．６周分である。このような巻き付きによって，螺旋部１２３ａは，集塵容器１１の内周面に沿ったサイクロン旋回気流（図６に矢印Ａで示す）の回転方向に沿って下方に向かって傾斜する螺旋状の旋回面が形成されている。
但し，上記螺旋部１２３ａが回転軸部１２３ｂに巻き付く角度は，上記の数字に限定されない。例えば，１周分未満として，螺旋部１２３ａの小型化を図ることも必要に応じてなされなければならない。このような小型の螺旋部１２３ａについては，追って説明する。
【００３５】
また，螺旋状回転圧縮部１２３の螺旋部１２３ａの終端（下端）と集塵部１０５の底面との間には，隙間（クリアランス）１０８（図６参照）が介在している。これにより，回転軸中心から外側に向け押し出し，圧縮することが出来る塵埃量を大幅に増加することが出来る。
また，上記隙間１０８の幅は，集塵部１０５の底部に押し付けられ，圧縮された塵埃が螺旋部分の終端と集塵部１０５底部の間に詰まることによる破損や，異物等の詰まりを起こすことを防ぐことができる値である。本実施例では，IEC規格に基づくDMT標準ゴミTYPE8を試験ゴミとして１０ｇ使用した実験により求めた上記隙間１０８の幅を６〜１３ｍｍ程度としている。
【００３６】
以上のように構成された電気掃除機の動作について，以下に説明する。
図３，図６に示すように，分離部１０４の周方向に形成された接続部１１１の空気流入口１１１ａから集塵容器１１の分離部１０４に入った気流は，図６の矢印Ａのように，分離部１０４の円筒状の内周面に沿って高速で旋回する。旋回気流中の比較的大きい塵埃には遠心力が作用して気流から分離され，集塵容器１１の内壁へ押し付けられる。図２に示すように，空気の排気口１２１が，下方にあるため，その後，気流は旋回しながら，集塵部１０５に入る。図６において二点鎖線で示す矢印Ａのように旋回する気流（主流）は，集塵部１０５の底面に到達した後は上昇に転じる。図６の例では，この螺旋状回転圧縮部１２３のまわりの間隙１０７を旋回する気流の回転方向と螺旋状回転圧縮部１２３の螺旋部１２３ａの傾き方向が一致しており，サイクロン旋回気流を妨げることがない。このため，圧力損失が少なく効率的な遠心分離が可能であり，高い吸い込み仕事率が得られる。
【００３７】
また，図６に二点鎖線で示す矢印Ａの気流により運ばれる塵埃は，螺旋部１２３ａの終端部（下端部）と集塵容器１１の底面との間の空間１１２ａに引っかかり（トラップされ），蓄積され，螺旋部１２３ａの螺旋形状の湾曲面に沿って下側から順に積層されていく。このため，さらに圧力損失の増加を防ぐことができる。
【００３８】
さらに，螺旋状回転圧縮部１２３のまわりの間隙１０７を旋回する気流の回転方向と螺旋状回転圧縮部１２３の螺旋部１２３ａの傾き方向が一致しているため，蓄積・積層された塵埃は，気流によっても若干圧縮される。これにより，蓄積・積層された塵埃の容積が小さくなり，より効率的な塵埃捕集を達成できる。
【００３９】
次に，塵埃の空気流による蓄積と積層の作用について説明する。
前述したように，吸引された塵埃は，分離部１０４において分離され，隙間１０６（図６）を通り，集塵部１０５へ導かれる。集塵部１０５においては，塵埃は隙間１０７を通り，隙間１０８によりせき止められる（トラップされる）ことにより，蓄積される。この蓄積は，螺旋状回転圧縮部１２３が回転されるごとに既に蓄積された塵埃の上に積層されていく。そのため，この集塵装置では，螺旋部１２３ａに沿って，偏ることなく積層が成長していくため，集塵部１０５内で偏って蓄積されていくことがなく，同容積の集塵部と比較して集塵可能容量が飛躍的に向上する。
また，螺旋部１２３ａは，サイクロン旋回気流の回転方向に沿って下方に向かって傾斜する方向性をもつ螺旋形状とすることが出来る。この場合には，サイクロンの気流による圧縮効果も得られる。これにより，さらに集塵可能容量が向上する。
【００４０】
次に，回転圧縮の作用について具体的に説明する。
たとえば，送風駆動モータの駆動が停止されると，気流が旋回を止める。送風駆動モータの駆動停止が確認された後，除塵駆動機構１５が駆動されると，上述したように内筒１２，排気口１２１，円盤状遮蔽部材１２３ｃ，螺旋状回転圧縮部１２３，回転軸部１２３ｂが一体となって，垂直中心軸Ｐを中心として，図８の矢印Ｄ方向（上面から見て，反時計方向）に回転する。このようにして，除塵駆動機構１５による回転が，図8に示される第１の回転軸線１５２と第２の回転軸線１５３を介して回転軸部１２３ｂに伝達される。
こうして螺旋状回転圧縮部１２３が回転すると，螺子の原理により，回転軸方向（図９の矢印Eで示す垂直下向き方向）に推力が発生する。この推力により，集塵部１０５に蓄積されている図９の塵埃２００は，回転軸方向に押し出され，集塵容器１１の底面に押し付けられることにより回転軸方向に圧縮される。
【００４１】
ところで，螺旋部１２３ａが回転しない従来のサイクロン集塵装置では，塵埃が図１０における３００（ほぼ螺旋部１２３ａの始端の位置）よりも上部まで積層された場合，上側から新たに塵埃２０１（図９参照）が吸引されて来ても，塵埃２０１は引っかかる部分がないため積層・集積することができず，内筒１２の回りを回転し続けてしまう。回転し続けることにより，内筒フィルタ１２２に大量の塵埃が付着し，吸引力が急激に低下する。また，送風駆動モータに大きな負担がかかり，製品寿命を低下させる。
【００４２】
しかしながら，この集塵装置Ｙでは，螺旋部１２３ａの回転によって集塵容器の底面との間に蓄積した塵埃に回転を与え，これによって軸中心から外側に向かって押し出すことで圧縮するので，螺旋状回転圧縮部１２３と集塵容器１１の底部との間の塵埃２００は，一度圧縮されると，回転停止後，さらには，集塵容器１１を解放して圧縮力が解除された後も，圧縮状態が保持される。
【００４３】
このように，圧縮状態が保持されることにより，塵埃は高さ３００よりも下部で保持されることになり，上方から新たに塵埃２０１が吸引された場合でも，塵埃は集積され，螺旋状回転圧縮部１２３の回転により，新たな塵埃２０１をさらに圧縮することが出来，効率的な連続圧縮を行うことが出来る。その結果，実験によれば，同容量の集塵部において約３倍の集塵可能容量向上効果が確認された。
【００４４】
また，この集塵装置Ｙでは，一度の吸引によって，大量の塵埃を捕塵し，塵埃の高さが図１０における３００まで到達した場合でも，螺旋部１２３aと接触している塵埃と一体となり，回転軸方向へ押し出され，圧縮を行うことができる。
【００４５】
また，螺旋状回転圧縮部１２３が回転し圧縮動作を行うものであるため，螺旋状回転圧縮部１２３の回転によって塵埃に軸回転中心から外側向きの力が発生する。そのため，塵埃は円筒状の回転軸部１２３ｂ部分にはあまり付着しない傾向があり，メンテナンス性が飛躍的に高まる。さらに，塵埃が螺旋状回転圧縮部１２３に付着した場合においても，螺旋状回転圧縮部１２３が回転することによって，塵埃を下方へ押し出し圧縮する際に塵埃により，剥がされていく。このように，螺旋状回転圧縮部１２３のメンテナンス性は非常に高い。
【００４６】
さらに，前記したように，圧縮後の塵埃はドーナツ型に固められ一体化しているため，ゴミ捨て時のゴミ飛散やこぼれ落ちなどを防ぐことができ，効率的なゴミ捨てが行える。
【００４７】
螺旋状回転圧縮部１２３の回転を，モータなどの駆動手段によって行なうことにより，送風駆動モータの駆動中（吸引中）に螺旋状回転圧縮部１２３を自動的に回転させることができる。この動作によって，塵埃を捕集・集積すると同時に塵埃を圧縮することができる。これにより，さらに効率的に圧縮することができ，上記の効果がさらに高まる。また，一度に大量の塵埃を吸引した場合でも圧縮が可能なため，長時間連続して掃除を行うことができる。
【００４８】
さらにまた，送風駆動モータの駆動中（吸引中）に螺旋状回転圧縮部１２３を間欠的に回転させることにより，塵埃の捕集と同時に圧縮を行うことが出来るとともに，螺旋状回転圧縮部１２３を長い時間にわたって駆動し続けることがないため，消費電力の増加を防ぎ，駆動機構の寿命に伴う製品寿命を高めることができる。さらに，圧縮部駆動機構が駆動する際の騒音を低減することができ，より静かで使用しやすいサイクロン集塵装置が得られる。
【００４９】
また，集塵容器１１の内壁側面に図１４に示す縦方向のリブ４００を設けることにより，螺旋状回転圧縮部１２３と集塵容器１１とのクリアランスを部分的に小さくすることが出来る。このような構成によって，螺旋状回転圧縮部１２３による回転軸方向の推力が大きくなるため，さらに効率的に圧縮が行える。また，集塵容器１１の内壁側面のリブ４００は集塵容器１１底面に向かうに連れ螺旋状回転圧縮部１２３と集塵容器１１とのクリアランスが小さくなるようにつけられることで，さらに効率的に塵埃を圧縮することが出来る。
リブ４００は，１本でも効果があるが，バランス上，複数，均等に設けることが望ましい。
また，螺旋部１２３ａと集塵容器１１の内壁側面との間の塵埃を押し出すための摩擦を発生させるための抵抗を生じさせる構造は，集塵容器１１の内壁側面にリブ４００に限らず，抵抗となる凹凸や表面処理でもよい。
【００５０】
図１１に示す螺旋状回転圧縮部１２３においては，螺旋部１２３ａの外周端と集塵部１０５の内壁側面との間に隙間（クリアランス）１０７を有し，集塵容器１１の内周部の径が一定であり，集塵容器１１の底部に向かい小さくなる部分がない。即ち，前記隙間（クリアランス）１０７は，集塵容器１１の底部に向かって一定である。その他の構成は実施の形態１と同様である。このような集塵容器１１の場合，内径が集塵容器１１の底部に向かい小さくなる部分がないため，集塵部１０５の容積が増加し，かつ一定の回転軸方向の推力で圧縮を行えるため，より多くの塵埃を蓄積・積層することが出来る。また，隙間（クリアランス）１０７は，集塵容器１１の底部に向かって一定であるため，塵埃と集塵容器１１の内壁側面との摩擦も変化せず，一定の回転軸方向の推力で圧縮を行えるため，螺旋状回転圧縮部１２３が，塵埃の詰りによって固定されるロックを防ぐ効果が得られる。
【００５１】
螺旋形状回転圧縮部１２３がロックせずに回転し続けることで，集塵部１０５の単位体積当りに集塵できるゴミ容量が多くなり，同じゴミ容量を集塵する場合，よりコンパクトで軽量な電気掃除機を提供することができる。その結果，取り回しを行いやすくなり，ユーザの負担を軽減することができ，ユーザの掃除効率を飛躍的に高めることが出来る。
【００５２】
前記した螺旋状回転圧縮部１２３による塵埃の圧縮作用から分るように，塵埃の圧縮作用は螺旋部１２３ａの終端部１２３ｅ近傍で行われ，始端部１２３ｓの近くではあまり積極的な圧縮作用は発揮されない。その点からすると，これまで述べた螺旋部１２３ａが，前記集塵容器１１の内周面に沿って，少なくとも該内周面の１周分以上にわたって形成されている必要はそれほど大きくないと考えられる。従って，圧縮作用に寄与していない螺旋部１２３ａの始端部１２３ｓ近傍の部分を削除して，螺旋状回転圧縮部１２３全体の小型化を考えることが望ましい場合もありうる。その場合には，上記螺旋部１２３ａの巻きつき角度を集塵容器１１の内周に沿って一周分未満にすることも考えられる。このように螺旋部１２３ａの巻きつき角度を小さくすることで螺旋部１２３ａあるいはそれを含む螺旋状回転圧縮部１２３全体の小型化が可能である。このように螺旋状回転圧縮部１２３を小型化することで，螺旋状回転圧縮部１２３の回転負荷が軽減されること，及び装置全体の小型化，軽量化が期待できる。
図１９に上記のような螺旋部１２３ａの巻きつき角度が１周分未満の螺旋状回転圧縮部１２３を示す。同図（ａ）は，螺旋状回転圧縮部１２３を斜め下から見た斜視図，同図（ａ）は，螺旋状回転圧縮部１２３を斜め上から見た斜視図である。
【００５３】
図１９に示した螺旋状回転圧縮部１２３では，その垂直中心に設けられた前記回転軸部１２３ｂの周囲に形成された前記螺旋部１２３ａと，前記螺旋部１２３ａの上方に設けられた円盤状遮蔽部材１２３ｃとは分離されており，螺旋部１２３ａと円盤状遮蔽部材１２３ｃとの間に垂直方向の隙間Ｗが介在している。隙間Ｗは，図６に相当する図１６及び図８に相当する図１８に示されており，明瞭に理解される。
【００５４】
ところで，上記のように螺旋部１２３ａの始端部１２３ｓ近傍を図１６，或いは図１８に示すように切除して隙間Ｗを形成すると，新たに形成された切除された始端部１２３ｓ´に繊維くずなどの塵埃が付着しやすくなることが考えられる。特に，螺旋状回転圧縮部１２３が，図１８に示す矢印Ｄで示すように，螺旋部１２３ａの螺旋螺子が後退する方向に回転する例では，始端部１２３ｓ´に繊維くずなどの塵埃が付着しやすい。このような始端部に繊維くずなどが絡みやすい問題は，切除された始端部１２３ｓ´が，図１９に示すように回転軸部１２３ｂの半径方向に形成されている場合に，顕著である。
このような問題を解消するためには，図２０に示すように，前記切除された始端部１２３ｓ´を円弧状に形成すればよい。厳密には，前記始端部１２３ｓの外縁部分の螺旋部１２３ａの中心部からの半径が始端部１２３ｓ′から終端部に向かう方向に徐々に大きくなる曲線状に形成されていることが必要である。即ち，図２０（ｃ）に示すように，半径ｒ０の螺旋部１２３ａが備える前記始端部１２３ｓ′の外縁部分の螺旋部１２３ａの中心点Ｏからの半径ｒが，始端部１２３ｓ′から終端部に向かう方向（矢印Ｙｘで示す方向）に徐々に大きくなる（ｒ１，ｒ２，…ｒｎ…ｒ0のように徐々に大きくなる）曲線状に形成されている場合には，繊維くずなどが，上記曲線状の外縁に沿って移動しやすく，繊維くずなどが始端部１２３ｓ´から容易にはずれて塵埃の付着がしにくくなるので，長時間にわたって，あるいは永久的にその部分の掃除が必要でなくなる。
尚，上記した実施形態では，螺旋部１２３ａの一部を切除した結果，螺旋部１２３ａと円盤状遮蔽部材１２３ｃとが不連続となり，両者の間に隙間Ｗが形成される場合について説明したが，これは一例であって，螺旋部１２３ａの一部を切除せず，螺旋部１２３ａの始端部１２３ｓを円盤状遮蔽部材１２３ｃに連続的に接続させるような形状として，前記両者の間に隙間をなくしたものでも構わない。
【図面の簡単な説明】
【００５５】
【図１】本発明の実施の形態に係る電気掃除機Ｘの外観図。
【図２】本発明の実施の形態に係るサイクロン集塵装置Ｙの内部構造を説明するための断面図。
【図３】本発明の実施の形態に係るサイクロン集塵装置Ｙの内部構造を説明するための断面図。
【図４】本発明の実施の形態に係るサイクロン集塵装置Ｙに設けられた螺旋状回転圧縮部を説明するための図（（ａ）は，下方から見た斜視図，（ｂ）は，上方から見た斜視図）。
【図５】本発明の実施の形態に係るサイクロン集塵装置Ｙに設けられた上部フィルタユニット１３を説明するための図。
【図６】本発明の実施の形態に係るサイクロン集塵装置Ｙの内部構造を螺旋状回転圧縮部を中心として説明するための断面図。
【図７】本発明の実施の形態に係るサイクロン集塵装置Ｙの内部構造を説明するための分解斜視図。
【図８】本発明の実施の形態に係るサイクロン集塵装置Ｙの螺旋状回転圧縮部への回転力伝達経路を説明するための断面図。
【図９】螺旋状回転圧縮部の回転によって，塵埃が圧縮・積層される状況を説明するサイクロン集塵装置Ｙの断面図。
【図１０】螺旋状回転圧縮部への塵埃の貯まり具合を説明するサイクロン集塵装置Ｙの断面図。
【図１１】直円筒状の集塵容器が用いられた場合のサイクロン集塵装置Ｙの断面図。
【図１２】螺旋部の設定位置を説明するためのサイクロン集塵装置Ｙの断面図。
【図１３】螺旋部の設定位置を説明するためのサイクロン集塵装置Ｙの斜視図。
【図１４】集塵容器に形成されるリブを説明するためのサイクロン集塵装置Ｙの側断面図。
【図１５】集塵容器に形成されるリブを説明するためのサイクロン集塵装置Ｙの水平断面図。
【図１６】螺旋部を回転軸部の周りに一周未満とした実施形態の図６相当図。
【図１７】螺旋部を回転軸部の周りに一周未満とした実施形態の図７相当図。
【図１８】螺旋部を回転軸部の周りに一周未満とした実施形態の図８相当図。
【図１９】螺旋部を回転軸部の周りに一周未満とした実施形態の螺旋部の斜視図。
【図２０】螺旋部を回転軸部の周りに一周未満とした実施形態の始端部を円弧状とした螺旋部の斜視図（ａ），（ｂ），及び平面図（ｃ）。
【符号の説明】
【００５６】
１０…筐体（分離装置本体）
１１…集塵容器（捕集容器）
１２…内筒
１３…上部フィルタユニット
１４…塵埃受部
１５…除塵駆動機構
１０４…分離部
１０５…集塵部
１２３…螺旋状回転圧縮部
１２３ａ…螺旋部（圧縮部）
１２３ｂ…回転軸部
１２３ｃ…円盤状遮蔽部材
１２３ｓ，１２３ｓ′…始端部
１２３ｅ…終端部
２００，２０１…塵埃
４００…リブ
【図１】
0004378420.tif 000002
【図２】
0004378420.tif 000003
【図３】
0004378420.tif 000004
【図４】
0004378420.tif 000005
【図５】
0004378420.tif 000006
【図６】
0004378420.tif 000007
【図７】
0004378420.tif 000008
【図８】
0004378420.tif 000009
【図９】
0004378420.tif 000010
【図１０】
0004378420.tif 000011
【図１１】
0004378420.tif 000012
【図１２】
0004378420.tif 000013
【図１３】
0004378420.tif 000014
【図１４】
0004378420.tif 000015
【図１５】
0004378420.tif 000016
【図１６】
0004378420.tif 000017
【図１７】
0004378420.tif 000018
【図１８】
0004378420.tif 000019
【図１９】
0004378420.tif 000020
【図２０】
0004378420.tif 000021